(57)【要約】【課題】管接続部が隠れた場所にあって目視が困難であっても、また漏れが少量であったとしても容易且つ正確に漏水の有無を判定することができる管接続部の漏水検知方法を提供する。【解決手段】給水管２７，便器２０の排水管の管接続部に吸水性を有し且つ水濡れで外観変化を生ずる漏水検知シート３２，５２を外部に露出させる状態に貼着しておき、漏水検知シート３２，５２の外観変化に基づいて漏水の有無を判定する。【選択図】        図２
2007218884.tif 000002
【特許請求の範囲】
【請求項１】
給水管，排水管の管接続部等の水路の接続部に、水浸透性を有し且つ水濡れで外観変化を生ずる漏水検知シートを該接続部を隠蔽する部材から外部に露出させる状態に貼着しておき、該漏水検知シートの外観変化に基づいて漏水を検知することを特徴とする漏水検知方法。
【請求項２】
請求項１において、前記給水管又は排水管と便器，水栓器具等の水廻り機器若しくは室外配管との水路の接続部に前記漏水検知シートを貼着して漏水を検知することを特徴とする漏水検知方法。
【請求項３】
請求項１，２の何れかにおいて、施工の際の通水検査後に前記漏水検知シートの前記露出部分を剥ぎ取ることを特徴とする漏水検知方法。
【発明の詳細な説明】
【技術分野】
【０００１】
この発明は給水管，排水管の管接続部等の水路の接続部の漏水検知方法に関する。
【背景技術】
【０００２】
従来、室内側の給水管や排水管と便器，便器洗浄器，水栓器具等の水廻り機器との管接続部或いは壁や床等に施された室外配管との管接続部は見え難いところに位置していたり、椀座やキャビネット等にて隠蔽されていることが多い。
更に便器にあっては、便器に一体に構成された陶器製の排水管と床や壁等に施された室外配管との管接続部が便器自体にて隠蔽されてしまう。
【０００３】
これら水路の管接続部における漏水の有無の確認は、従来から困難な作業となっていた。
その確認の方法として、従来、接続部を作業者が目視したり、触手で確認したりする方法、或いは接続部が隠蔽により暗い場所となっている場合には、接続部を灯りで照らして確認する方法が用いられていた。
【０００４】
しかしながらこうした方法では、特に漏れが少量であるときには確認が難しく、ときに誤認を起こしたりして「本当に漏れが無いか」どうかを、施工の際の通水検査時に或いはその後の使用時に正しく見極めることが困難であった。
また便器や水栓器具その他の水廻り機器の使用時においても、施工後に何らかの異常が発生して接続部で漏れを起こしたとき、その確認が困難であることから漏水に気付かず発見が遅れてしまうといった問題があった。
【０００５】
尚、下記特許文献１には携帯電話等の電気製品の水没の経歴の有無を判定するために、電気製品の内部に貼着して用いる水濡れ判定シートについての発明が開示されている。
しかしながらこの水濡れ判定シートの用い方は、電気製品内部にこれを隠蔽状態に貼着するものであって、この特許文献１に開示の発明は本願発明とは異なったものである。
【０００６】
【特許文献１】特開平７−１４００７８号公報
【発明の開示】
【発明が解決しようとする課題】
【０００７】
本発明はこのような事情を背景とし、管接続部が隠れた場所にあって目視が困難であっても、また漏れが少量であったとしても容易且つ正確に漏水の有無を判定することができる水路の接続部の漏水検知方法を提供することを目的としてなされたものである。
【課題を解決するための手段】
【０００８】
而して請求項１のものは、給水管，排水管の管接続部等の水路の接続部に、水浸透性を有し且つ水濡れで外観変化を生ずる漏水検知シートを該接続部を隠蔽する部材から外部に露出させる状態に貼着しておき、該漏水検知シートの外観変化に基づいて漏水を検知することを特徴とする。
【０００９】
請求項２のものは、請求項１において、前記給水管又は排水管と便器，水栓器具等の水廻り機器若しくは室外配管との水路の接続部に前記漏水検知シートを貼着して漏水を検知することを特徴とする。
【００１０】
請求項３のものは、請求項１，２の何れかにおいて、施工の際の通水検査後に前記漏水検知シートの前記露出部分を剥ぎ取ることを特徴とする。
【発明の作用・効果】
【００１１】
以上のように本発明は、水濡れで外観変化を生ずる漏水検知シートを給水管，排水管の管接続部等の水路の接続部に且つ接続部を隠蔽する部材から外部に露出させる状態に貼着しておき、その漏水検知シートの外観変化に基づいて漏水を検知するもので、本発明によれば、接続部が隠蔽状態にあって外部から直接目視で確認することができない場合であっても、或いは漏水が少量であったとしても、漏水検知シートの外観変化に基づいて容易に且つ正しく漏水の有無を検知することができる。
また漏水の有無を簡単且つ正確に行い得るため、漏水に気付かずにその発見が遅れてしまうといった問題も解決することができる。
【００１２】
ここで漏水検知シートは、吸水性を有し水溶性のインクで着色を施したもの、特に水溶性インクで所定のマークを施したものを好適に用いることができる。
このものは漏水により水を吸収して水溶性インクが水に溶け出すことで外観変化を生じる。
特に水溶性インクでマークを施したものは、マークの形がぼける（滲む）ことによってより明確に漏水の判定を行うことができる。
【００１３】
本発明では、給水管，排水管と便器，水栓器具等の水廻り機器との水路の接続部又はそれら給水管，排水管と室外配管との水路の接続部に上記漏水検知シートを貼着し、漏水を検知するようになすことができる（請求項２）。
通常、これらの接続部は施工の際の通水検査によって漏水の有無を確認するが、これら接続部は椀座その他によって隠蔽されていたり見難い箇所であったりすることが多く、この場合においてその接続部に上記の漏水検知シートを貼着しておくことで、その外観変化に基づいて容易に漏水の有無の確認を行うことができる。
また通水検査後において水廻り機器の使用中に漏水が生じた場合においても、その漏水検知シートによって直ちに漏水が生じたことを発見でき、漏水に気付かずにそのまま放置されてしまうことにより生ずるトラブルを未然に防止することができる。
【００１４】
本発明では漏水検知シートを接続部を隠蔽する部材から外部に露出させておくが、通水検査後において、つまり通常の使用時において漏水検知シートが外部に露出したままであると美観を損なう問題があり、そこで請求項３に従って通水検査後に漏水検知シートの露出部分を剥ぎ取っておくのが望ましい。
この場合、漏水検知シートにはミシン目等の剥取部を予め設けておくことで、その露出部分をきれいに且つ簡単に剥ぎ取って除去することができる。
【発明を実施するための最良の形態】
【００１５】
次に本発明の実施形態を図面に基づいて詳しく説明する。
図１には、本発明の適用対象箇所としての代表的な水路の接続部が概念的に示してある。
図において１０は壁、１２は床、１４は室内に設置された機器（水廻り機器）で、１６は機器１４に給水を行う給水管、１８は機器１４からの排水を行う排水管である。
Ａ１は給水管１６と機器１４との管接続部（水路の接続部）を表しており、Ａ２は排水管１８と機器１４との管接続部を表している。
またＢ１は給水管１６と壁１０側の室外配管との管接続部を表し、またＢ２は排水管１８と床１２側の室外配管との管接続部を表している。
【００１６】
図２以下に、その代表的な接続部を本発明の適用例とともに示してある。
図２において、２０は床１２に設置された便器（洋風便器）で、２２は便器本体、２４は便座、２５は便蓋である。
２６は便器２０の洗浄水を貯える洗浄タンクで、２７はこの洗浄タンク２６に給水を行う給水管である。
給水管２７の端部には止水栓２８が設けられており、この止水栓２８において給水管２７が壁１０側の室外配管と接続されている。
３０はその管接続部を隠蔽する椀座である。
【００１７】
図３において、３２は漏水検知シートで水溶性の着色インクにて複数のマーク４０が全体に亘って分散状に施してある。
この漏水検知シート３２は紙等からなる吸水性を有するもので、漏水が生じたときに吸水する。
而して吸水した水がマーク４０に触れると、水溶性インクが水に溶けて滲んだ状態となり、マーク４０の滲みを見ることによって漏水検知シート３２が水を吸収したこと、即ち漏水が生じたことを目視にて直ちに知ることができる。
【００１８】
この漏水検知シート３２は、図３（Ｂ）に示すようにドーナツ環状を成す環状部３４と、これから半径方向外方に突出した舌片３６とを有しており、その舌片３６が椀座３０から外部に突き出す状態で、また環状部３４が椀座３０の内側に隠れる状態で給水管２７に嵌められ装着されている。
即ちこの例では、給水管２７と室外配管との管接続部で漏水が生じたとき、その管接続部が椀座３０にて隠蔽されていても、漏水検知シート３２の外観変化を知ることができ且つこれに基づいて漏水が生じていることを直ちに目視判断することができる。
【００１９】
尚、漏水検知シート３２には舌片３６の付根にミシン目３８が入れられており、図４に示しているようにこのミシン目３８の部分で舌片３６を剥ぎ取ることができるようになっている。
尚ミシン目３８に代えて切欠その他舌片３６を剥ぎ取り易くする剥取部を種々形態で設けておくこともできる。
【００２０】
この漏水検知シート３２による漏水の検知は、便器２０の設置や給水管２７の施工の際の通水検査時に漏水が有るか無いかを確認する場合に有効であり、必要に応じて通水検査後においては漏水検知シート３２の外部に露出した舌片３６を剥ぎ取っておくことができる。
このようにすれば、舌片３６が外部に露出することによって見栄えが悪くなるのを防ぐことができる。
但し舌片３６を剥ぎ取ることなくそのまま付けておくことも勿論可能である。
このようにしておけば、通水検査後において便器２０を使用中に何らかの異常が生じて給水管２７の管接続部で漏水が生じたとき、その舌片３６における外観変化によって、そこに漏水が生じていることを直ちに知ることができ、これにより漏水の発見が遅れることによりその後のトラブルに繋がる問題を未然に防ぐことができる。
【００２１】
図５において、４２は便器２０の排水管と床１２に施された室外配管とを接続する汚水フランジの１種としての排水ソケットで、円筒状のソケット部４４と、フランジ部４６とを有しており、そのフランジ部４６においてボルト４８にて床１２に固定されている。
この排水ソケット４２は挿通孔５０を有しており、そこに便器２０に一体に構成された陶器製の排水管が挿し込まれることで、便器２０の排水管と室外配管とが排水ソケット４２を介して水密に接続される。
【００２２】
この排水ソケット４２による管接続部においても漏水検知シート５２が貼着されている。
但しここでは漏水検知シート５２が細長いテープ状をなしている。
ここで漏水検知シート５２は、その端部が排水ソケット４２内部の隠れた部位まで挿入されている。また図２に示しているように反対側の先端部が便器２０から外部に露出する位置まで延びている。
【００２３】
この実施形態の場合、便器２０の排水管の管接続部で漏水が生じた場合、その管接続部が排水ソケット４２の内側に隠れた箇所であっても、更にはまた便器２０全体で隠蔽された箇所であっても、漏水検知シート５２の外観変化に基づいて、漏水が生じたことを一瞬で直ちに判定することができる。
尚このテープ状の漏水検知シート５２についても、便器２０から露出した部分を剥ぎ取るためのミシン目等の剥取部を設けておいても良い。
この点は以下の他の実施形態においても同様である。
【００２４】
次に図６は本発明の他の適用例を示したもので、図中５４は壁１０に接して設置されたキャビネットで、内部に洗浄タンク２６が収納されており、キャビネット５４内部において洗浄タンク２６と便器２０とが接続されている。
この洗浄タンク２６と便器２０との水路の接続部も漏水を生じる可能性のある部位であり、それでここでは洗浄タンク２６と便器２０との接続部に漏水検知シート５６を貼着して、その先端部をキャビネット５４から露出する位置まで延び出させている。
この例の場合、キャビネット５４内部において洗浄タンク２６と便器２０との接続部で漏水が生じた場合であっても、且つその接続部がキャビネット５４にて隠蔽され、外部からは知ることのできない箇所であっても、漏水検知シート５６の外観変化に基づいて、同部位での漏水の有無を直ちに判定することができる。
【００２５】
尚、洗浄タンク２６に給水を行う給水管２７もまたキャビネット５４の内部に収納されており、その給水管２７と壁１０側の室外配管との管接続部も漏水を生じる箇所である。
従ってその管接続部からも漏水検知シート５６をキャビネット５４外に延び出させて、その外観変化に基づいて給水管２７の管接続部における漏水の有無も判定するようになしておくことができる。
【００２６】
次に図７は本発明の更に他の適用例を示している。
図中５８は陶器製の手洗器で、排水口から排水管６０が下向きに延び出しており、その下端部が床１２側の室外配管に接続されている。
ここで排水管６０は排水金具６２を介して手洗器５８の排水口に接続されている。
【００２７】
この実施形態においても、排水金具６２と手洗器５８の排水口との管接続部に漏水検知シート６４が貼着されている。
この漏水検知シート６４は、排水金具６２と手洗器５８との管接続部から更に図中下向きに外部に露出する状態に延び出している。
また排水管６０の下端部と床１２側の室外配管との管接続部にも漏水検知シート６５が貼着されている。
この漏水検知シート６５は、椀座３０にて隠蔽された部分から外部に露出する位置まで延び出している。
この実施形態においても漏水検知シート６４，６５の外観変化に基づいて、管接続部における漏水の有無を目視にて直ちに判定することができる。
【００２８】
次に図８は本発明の更に他の適用例を示したもので、この例はボックス内部に電磁弁や制御部等を収納した小便器の自動フラッシュバルブ装置６６と、壁１０側の室外配管との管接続部に本発明を適用した例で、６７はそれらの管接続部に貼着されて同部分から外部に延び出した漏水検知シートである。
この例においても、漏水検知シート６７は椀座３０にて隠蔽された管接続部から外部に露出する状態に延び出しており、その外部に露出した部分の外観変化に基づいて、管接続部での漏水の有無を目視にて直ちに判定することができる。
【００２９】
図９は本発明の更に他の適用例を示している。
図において６８は壁掛式の小便器で、この小便器６８に一体に構成された陶器製の排水管が、壁１０側の室外配管に排水フランジ（汚水フランジ）を介して水密に接続されている。
この例においてもその管接続部に漏水検知シート７０が貼着されていて、この漏水検知シート７０が管接続部から延び出し、先端部が小便器６８の外部に露出している。
この実施形態においても、小便器６８の排水管と室外配管との管接続部で漏水が生じた場合、漏水検知シート７０の目視観察によって、漏水が生じたことを一目で目視により直ちに判定することができる。
【００３０】
図１０は本発明の更に他の適用例を示している。
図において７２は床置式の小便器で、壁１０に小便器７２の自動フラッシュバルブ装置７４が埋込状態に設けられている。
この実施形態においても、自動フラッシュバルブ装置７４のボックス内に漏水検知シート７６が貼着されている。その先端部はボックス部より外部に露出していて、自動フラッシュバルブ装置７４と壁１０側の室外配管との管接続部における漏水を、その漏水検知シート７６の外観変化に基づいて直ちに判定することができる。
【００３１】
尚、図６以下の各実施形態において、外部に露出させた漏水検知シート５６，６４，６５，６７，７０，７６は通水検査を行った後、外部への露出部分を剥取部において剥ぎ取っておくことができ、或いはまたそのまま放置しておくことも可能である。
【００３２】
以上本発明の実施形態を詳述したが、これらはあくまで一例示である。
例えば本発明は上例以外の他の水路の接続部に適用することも可能であるし、また場合によって給水管や排水管を分割構成として、それらの管接続部に適用することも可能である。
また上例では漏水検知シートの全体に水溶性インクによるマークが施してあるが、場合によって外部に露出する部分だけに水溶性インキから成るマークを着色し施しておくことができる。
また着色インキ以外に、吸水によって外観変化する他の様々な漏水検知シート、例えば蛍光を発したり色が変化したりするなど様々な漏水検知シートを用いることができるなど、本発明はその趣旨を逸脱しない範囲において種々変更を加えた態様で実施可能である。
【図面の簡単な説明】
【００３３】
【図１】本発明の適用箇所として代表的な管接続部を概念的に示した図である。
【図２】本発明の一適用例を示す図である。
【図３】図２の要部を示す図である。
【図４】図２の漏水検知シートの舌片の剥取方法を示す図である。
【図５】本発明の他の適用例を示す図である。
【図６】本発明の更に他の適用例を示す図である。
【図７】本発明の更に他の適用例を示す図である。
【図８】本発明の更に他の適用例を示す図である。
【図９】本発明の更に他の適用例を示す図である。
【図１０】本発明の更に他の適用例を示す図である。
【符号の説明】
【００３４】
１４  機器（水廻り機器）
１６，２７  給水管
１８  配水管
２０  便器
３０  椀座
３２，５２，５６，６４，６５，６７，７０，７６  漏水検知シート
５４  キャビネット
５８  手洗器
６２  排水金具
６８  小便器
７４  自動フラッシュバルブ装置
Ａ１，Ａ２，Ｂ１，Ｂ２  管接続部
【図１】
2007218884.tif 000003
【図２】
2007218884.tif 000004
【図３】
2007218884.tif 000005
【図４】
2007218884.tif 000006
【図５】
2007218884.tif 000007
【図６】
2007218884.tif 000008
【図７】
2007218884.tif 000009
【図８】
2007218884.tif 000010
【図９】
2007218884.tif 000011
【図１０】
2007218884.tif 000012